【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】
基板側コネクタを有する基板と、壁部を貫通して開口形成されたコネクタ挿入孔を有して前記壁部が前記基板を覆うように構成され遊技機に取り付けられた基板ケースと、先端に取り付けられたケーブル側コネクタを前記コネクタ挿入孔に前記基板ケースの外側から挿入して前記基板側コネクタに接続させて前記基板と電気的に接続されるケーブルとを有する遊技機において、
前記基板側コネクタに接続されて前記コネクタ挿入孔から外方に延出する前記ケーブル上に移動可能に装着された抜脱防止部材を有し、
前記抜脱防止部材は、前記ケーブル上に装着した状態で前記コネクタ挿入孔を通して前記基板ケース内に挿入させたときに先端側がケース内部で拡開して前記コネクタ挿入孔を通って抜け出せないように構成されており、
前記抜脱防止部材の先端側がケース内部で拡開した状態で前記ケーブルを抜脱させる方向に引っ張ったときに前記ケーブル側コネクタが前記抜脱防止部材に当接して前記基板ケースから抜脱されるのを規制するように構成されていることを特徴とする遊技機のケーブル抜脱防止装置。
【請求項２】
前記抜脱防止部材は、前記ケーブル上を移動可能に取り付けられる本体部と、前記本体部の先端側に設けられて前記本体部が前記ケーブル上に取り付けられた状態で前記コネクタ挿入孔に向かって斜め外後方側へ傾斜する弾性変形可能なアーム部とを有し、
前記本体部を前記ケーブル上に装着した状態で前記コネクタ挿入孔を通して前記本体部の先端側を前記基板ケース内に挿入させると前記アーム部がケース内部で拡開して前記抜脱防止部材が前記コネクタ挿入孔を通って抜け出せなくなるように構成されていることを特徴とする請求項１記載の遊技機のケーブル抜脱防止装置。
【請求項３】
前記アーム部は前記本体部の左右に一対配設されていることを特徴とする請求項２記載の遊技機のケーブル抜脱防止装置。
【請求項４】
前記抜脱防止部材を前記コネクタ挿入孔に挿通させると、前記抜脱防止部材の先端が前記ケーブル側コネクタに近接し、前記斜め外後方側へ延びる前記アーム部の先端が前記コネクタ挿入孔の周囲を囲む前記基板ケースの前記壁部の内側に近接するように構成されていることを特徴とする請求項２又は３記載の遊技機のケーブル抜脱防止装置。
【請求項５】
前記アーム部よりも後端側の前記本体部に取り付けられて外側へ突出する突出部を有し、
前記抜脱防止部材の先端側を前記コネクタ挿入孔に挿通させると、前記斜め外後方側へ延びる前記アーム部の先端と前記突出部との間に前記基板ケースの前記壁部を挟んだ状態で前記抜脱防止部材が前記基板ケースに取り付けられることを特徴とする請求項２から４のいずれかに記載の遊技機のケーブル抜脱防止装置。
【請求項６】
前記抜脱防止部材は、分割可能な２つの第１分割部材及び第２分割部材と、これらの前記第１分割部材及び前記第２分割部材を接合した状態で保持する接合保持手段とを有してなり、
前記コネクタ挿入孔から前記基板ケースの外側へ延出した前記ケーブルを中央にしてその両側から前記ケーブルを挟み込むようにして前記第１分割部材及び前記第２分割部材を接合させると、前記接合保持手段により前記第１分割部材及び前記第２分割部材が一体となって前記ケーブル上に移動可能に取り付けられるように構成されていることを特徴とする請求項１から５のいずれかに記載の遊技機のケーブル抜脱防止装置。
【請求項７】
前記接合保持手段は、前記第１分割部材及び前記第２分割部材のいずれか一方に設けられて先端に係止突起を有した係止部と、前記第１分割部材及び前記第２分割部材のいずれか他方に設けられ前記係止突起を受容する係合孔を有した係合部とを備え、
前記第１分割部材及び前記第２分割部材を接合させると、前記係止突起が前記係合孔に受容されて係止され、前記第１分割部材及び前記第２分割部材が一体となることを特徴とする請求項６記載の遊技機のケーブル抜脱防止装置。
【請求項８】
前記係合孔は周囲を囲壁に囲まれた凹部の底面に形成されるとともに、前記凹部の開口側を覆う閉鎖板を有し、前記第１分割部材と前記第２分割部材とを接合して前記凹部の開口側を前記閉鎖板により覆うことにより、前記係合孔が外部から見えないように構成されることを特徴とする請求項７に記載の遊技機のケーブル抜脱防止装置。
【請求項９】
基板側コネクタを有する基板と、壁部を貫通して開口形成されたコネクタ挿入孔を有して前記壁部が前記基板を覆うように構成され遊技機に取り付けられた基板ケースと、先端に取り付けられたケーブル側コネクタを前記コネクタ挿入孔に前記基板ケースの外側から挿入して前記基板側コネクタに接続させて前記基板と電気的に接続されるケーブルとを有する遊技機において、
前記ケーブル側コネクタが前記コネクタ挿入孔を挿通された前記基板ケースの内側において前記ケーブル上に装着されて前記コネクタ挿入孔の開口よりも大きな形状の抜脱防止部材を有し、
前記抜脱防止部材は、前記コネクタ挿入孔から前記基板ケースの外側へ延出する前記ケーブルを抜脱させる方向に引っ張ると、前記抜脱防止部材が前記コネクタ挿入孔を通って抜け出せず、前記ケーブルが前記基板ケースから抜脱されるのを規制するように構成されていることを特徴とする遊技機のケーブル抜脱防止装置。
【請求項１０】
前記抜脱防止部材は、分割可能な２つの第１分割部材及び第２分割部材と、これらの前記第１分割部材及び前記第２分割部材を接合した状態で保持する接合保持手段とを有してなり、
前記ケーブル側コネクタが前記コネクタ挿入孔を挿通された前記基板ケースの内側において前記ケーブルを中央にしてその両側から前記ケーブルを挟み込むようにして前記第１分割部材及び前記第２分割部材を接合させると、前記接合保持手段により前記第１分割部材及び前記第２分割部材が一体となるように構成されていることを特徴とする請求項９記載の遊技機のケーブル抜脱防止装置。
【手続補正２】
【補正対象書類名】明細書
【補正対象項目名】０００８
【補正方法】変更
【補正の内容】
【０００８】
【課題を解決するための手段】
前記課題を解決するために本発明に係わる遊技機のケーブル抜脱防止装置は、基板側コネクタを有する基板（例えば、実施形態におけるメイン基板２５）と、壁部を貫通して開口形成されたコネクタ挿入孔を有して壁部が基板を覆うように構成され遊技機に取り付けられた基板ケースと、先端に取り付けられたケーブル側コネクタ（例えば、実施形態における先端側ケーブルコネクタ５３）をコネクタ挿入孔に基板ケースの外側から挿入して基板側コネクタに接続させて基板と電気的に接続されるケーブル（例えば、実施形態におけるハーネスＨ）とを有する遊技機（例えば、実施形態におけるパチンコ機ＰＭ）に関する。この遊技機のケーブル抜脱防止装置は、基板側コネクタに接続されてコネクタ挿入孔から外方に延出するケーブル上に移動可能に装着された抜脱防止部材を有する。この抜脱防止部材は、ケーブル上に装着した状態でコネクタ挿入孔を通して基板ケース内に挿入させたときに先端側がケース内部で拡開してコネクタ挿入孔を通って抜け出せないように構成され、抜脱防止部材の先端側がケース内部で拡開した状態でケーブルを抜脱させる方向に引っ張ったときにケーブル側コネクタが抜脱防止部材に当接してケーブルが基板ケースから抜脱されるのを規制するように構成される。
【手続補正３】
【補正対象書類名】明細書
【補正対象項目名】０００９
【補正方法】変更
【補正の内容】
【０００９】
上記構成のケーブル抜脱防止装置によれば、まず、コネクタ挿入孔から外方に延出するケーブル上に抜脱防止部材を装着する。そして、抜脱防止部材をケーブル上で移動させてコネクタ挿入孔を通して基板ケース内に挿入させる。抜脱防止部材が基板ケース内に挿入されると、抜脱防止部材の先端側がケース内部で拡開してコネクタ挿入孔を通って抜け出せないようになり、この状態でケーブルを抜脱させる方向に引っ張っても、ケーブル側コネクタが抜脱防止部材に当接してケーブルの移動を阻止し、ケーブルが基板ケースから抜脱されるのを規制するので、ケーブルを変造ケーブルに交換する不正行為を未然に防止することができる。
【手続補正４】
【補正対象書類名】明細書
【補正対象項目名】００１０
【補正方法】変更
【補正の内容】
【００１０】
上記構成のケーブル抜脱防止装置において、抜脱防止部材は、ケーブル上を移動可能に取り付けられる本体部と、本体部の先端側に設けられて本体部がケーブル上に取り付けられた状態でコネクタ挿入孔に向かって斜め外後方側へ傾斜する弾性変形可能なアーム部とを有し、本体部をケーブル上に装着した状態でコネクタ挿入孔を通して本体部の先端側を基板ケース内に挿入させるとアーム部がケース内部で拡開して抜脱防止部材がコネクタ挿入孔を通って抜け出ないように構成してもよい。
【手続補正５】
【補正対象書類名】明細書
【補正対象項目名】００１４
【補正方法】変更
【補正の内容】
【００１４】
上記構成のケーブル抜脱防止装置において、抜脱防止部材をコネクタ挿入孔に挿通させると、抜脱防止部材の先端がケーブル側コネクタに近接し、斜め外後方側へ延びるアーム部の先端がコネクタ挿入孔の周囲を囲む基板ケースの壁部の内側に近接するように構成してもよい。
【手続補正６】
【補正対象書類名】明細書
【補正対象項目名】００１５
【補正方法】変更
【補正の内容】
【００１５】
上記構成のケーブル抜脱防止装置によれば、抜脱防止部材をケーブルに装着して基板ケース内に挿入させると、抜脱防止部材の先端がケーブル側コネクタに近接し、アーム部の先端がコネクタ挿入孔の周囲を囲む基板ケースの壁部の内側に近接する。この状態でケーブルを抜脱させる方向に引っ張っても、アーム部の先端が基板ケースの壁部の内側に当接するとともに、ケーブル側コネクタが抜脱防止部材の先端に当接した状態となってケーブルの移動が規制される。その結果、ケーブル側コネクタが基板側コネクタから抜脱されず、ケーブルと基板との電気的に接続させた状態に維持することができる。
【手続補正７】
【補正対象書類名】明細書
【補正対象項目名】００１６
【補正方法】変更
【補正の内容】
【００１６】
上記構成のケーブル抜脱防止装置において、アーム部よりも後端側の本体部に取り付けられて外側へ突出する突出部を有し、抜脱防止部材の先端側をコネクタ挿入孔に挿通させると、斜め外後方側へ延びるアーム部の先端と突出部との間に基板ケースの壁部を挟んだ状態で抜脱防止部材が基板ケースに取り付けられるようにしてもよい。
【手続補正８】
【補正対象書類名】明細書
【補正対象項目名】００２０
【補正方法】変更
【補正の内容】
【００２０】
上記構成のケーブル抜脱防止装置において、接合保持手段は、第１分割部材及び第２分割部材のいずれか一方に設けられて先端に係止突起を有した係止部と、第１分割部材及び第２分割部材のいずれか他方に設けられて係止突起を受容する係合孔を有した係合部とを備え、第１分割部材及び第２分割部材を接合させると、係止突起が係合孔に受容されて係止され、第１分割部材及び第２分割部材が一体となるようにしてもよい。
【手続補正９】
【補正対象書類名】明細書
【補正対象項目名】００２１
【補正方法】変更
【補正の内容】
【００２１】
上記構成のケーブル抜脱防止装置によれば、まず、コネクタ挿入孔から外側へ延出したケーブルを中央にしてその両側に第１分割部材及び第２分割部材を配置する。そして、ケーブルの両側からケーブルを挟み込むようにして第１分割部材及び第２分割部材を接合させる。第１分割部材及び第２分割部材が接合されると、係止突起が係合孔に係止され、第１分割部材及び第２分割部材が一体化する。その結果、ケーブルが制御基板に接続された状態から抜脱防止部材を後付けすることができる。
【手続補正１０】
【補正対象書類名】明細書
【補正対象項目名】００２２
【補正方法】変更
【補正の内容】
【００２２】
上記構成のケーブル抜脱防止装置において、係合孔は周囲を囲壁に囲まれた凹部（例えば、実施形態における凹部７３）の底面に形成されるとともに、凹部の開口側（例えば、実施形態における開口部７３ａ）を覆う閉鎖板を有し、第１分割部材と第２分割部材とを接合して凹部の開口側を閉鎖板により覆うことにより、係合孔が外部から見えないように構成してもよい。
【手続補正１１】
【補正対象書類名】明細書
【補正対象項目名】００２３
【補正方法】変更
【補正の内容】
【００２３】
上記構成のケーブル抜脱防止装置によれば、ケーブルの両側からケーブルを挟み込むようにして第１分割部材及び第２分割部材を接合させると、係合突起が係止孔に係止された状態になり、第１分割部材及び第２分割部材が一体化される。この状態で凹部の開口側が閉鎖板により覆われると、凹部の底面に形成された係合孔が外部から見えないので、一体化された第１分割部材及び第２分割部材の外部から係合部に係止された係止部の係止状態を解除させることはできず、一体化された第１分割部材及び第２分割部材を分割させることを未然に防止することができる。
【手続補正１２】
【補正対象書類名】明細書
【補正対象項目名】００２４
【補正方法】変更
【補正の内容】
【００２４】
また、本発明のケーブル抜脱防止装置は、基板側コネクタを有する基板と、壁部を貫通して開口形成されたコネクタ挿入孔を有して壁部が基板を覆うように構成され遊技機に取り付けられた基板ケースと、先端に取り付けられたケーブル側コネクタをコネクタ挿入孔に基板ケースの外側から挿入して基板側コネクタに接続させて基板と電気的に接続されるケーブルとを有する遊技機に関する。この遊技機のケーブル抜脱防止装置は、ケーブル側コネクタがコネクタ挿入孔を挿通された基板ケースの内側においてケーブル上に装着されてコネクタ挿入孔の開口よりも大きな形状の抜脱防止部材を有する。この抜脱防止部材は、コネクタ挿入孔から基板ケースの外側へ延出するケーブルを抜脱させる方向に引っ張ると、抜脱防止部材がコネクタ挿入孔を通って抜け出せず、ケーブルが基板ケースから抜脱されるのを規制するように構成される。
【手続補正１３】
【補正対象書類名】明細書
【補正対象項目名】００２６
【補正方法】変更
【補正の内容】
【００２６】
上記構成のケーブル抜脱防止装置において、抜脱防止部材は、分割可能な２つの第１分割部材及び第２分割部材と、これらの第１分割部材及び第２分割部材を接合した状態で保持する接合保持手段（例えば、実施形態における接合保持部７５）とを有してなり、ケーブル側コネクタがコネクタ挿入孔を挿通された基板ケースの内側においてケーブルを中央にしてその両側からケーブルを挟み込むようにして第１分割部材及び第２分割部材を接合させると、接合保持手段により第１分割部材及び第２分割部材が一体となるように構成してもよい。
【手続補正１４】
【補正対象書類名】明細書
【補正対象項目名】００３８
【補正方法】変更
【補正の内容】
【００３８】
図５はケーブル抜脱防止装置６０の側面図を示し、ケーブル抜脱防止装置６０は、図４、図５及び図６（ａ）に示すように、基板側コネクタ２６に接続されてコネクタ挿入孔４１から外方に延出するハーネスＨ上に移動可能に装着される抜脱防止部材６１を有している。抜脱防止部材６１は、２分割可能な第１分割部材６２及び第２分割部材７２と、これら第１分割部材６２及び第２分割部材７２を接合した状態で保持する接合保持部７５とを有して構成されている。第１分割部材６２は樹脂等の絶縁材料製であり射出成形等により一体成形されたものであり、前後方向に延びる板状の本体部６２ａと、本体部６２ａの先端側の左右両側部に取り付けられ後方側へ向かって斜め外後方側へ傾斜する一対のアーム部６２ｂと、本体部６２ａの後端側の左右両側部に取り付けられ左右方向に突出する矩形状の一対の突出部６２ｃとを有して構成されている。
【手続補正１５】
【補正対象書類名】明細書
【補正対象項目名】００５４
【補正方法】変更
【補正の内容】
【００５４】
【発明の効果】
以上説明したように、本発明における遊技機のケーブル抜脱防止装置によれば、抜脱防止部材をケーブル上に装着した状態でコネクタ挿入孔を通して基板ケース内に挿入させると先端側がケース内で拡開してコネクタ挿入孔を通って抜け出せないように構成し、抜脱防止部材の先端側がケース内部で拡開した  状態でケーブルを抜脱させる方向に引っ張っても、ケーブル側コネクタが抜脱防止部材に当接してケーブルが基板ケースから抜脱されるのを規制するように構成されるため、ケーブルを変造ケーブルに交換する不正行為を防止することができる。